(57)【要約】【課題】他のカメラで撮影・記録されたデータによる再生像を投影する場合の使い勝手をよくする。【解決手段】プロジェクタ付きカメラ１０は、投影ユニット６０と、撮像ユニット７０と、記録媒体１０４Ｂに記録されているデータによる再生像を投影ユニット６０に投影させる制御手段１０１とを備え、記録媒体１０４Ｂが装着され、かつ投影指示を受けた場合に投影の準備を始めるように制御手段１０１を構成したものである。【選択図】図３
2009094687.tif 000002
【特許請求の範囲】
【請求項１】
投影ユニットと、
撮像ユニットと、
記録媒体に記録されているデータによる再生像を前記投影ユニットに投影させる制御手段とを備え、
前記制御手段は、前記記録媒体が装着され、かつ投影指示を受けた場合に投影の準備を始めることを特徴とするプロジェクタ付きカメラ。
【請求項２】
請求項１に記載のプロジェクタ付きカメラにおいて、
前記記録媒体は、筐体上部から装着されることを特徴とするプロジェクタ付きカメラ。
【請求項３】
請求項２に記載のプロジェクタ付きカメラにおいて、
前記記録媒体は、撮影したデータを記録する撮影記録媒体と別個に装着されることを特徴とするプロジェクタ付きカメラ。
【請求項４】
請求項１〜３のいずれか一項に記載のプロジェクタ付きカメラにおいて、
記憶回路をさらに備え、
前記投影準備は、前記記録媒体内の投影データを複製し、該複製データを前記記憶回路に記憶することを含むことを特徴とするプロジェクタ付きカメラ。
【請求項５】
請求項４に記載のプロジェクタ付きカメラにおいて、
前記制御手段は、前記投影準備が終了すると前記投影ユニットに投影を開始させることを特徴とするプロジェクタ付きカメラ。
【請求項６】
請求項４または５に記載のプロジェクタ付きカメラにおいて、
前記制御手段は、前記記憶回路に記憶されているデータによる再生像を前記投影ユニットに投影させることを特徴とするプロジェクタ付きカメラ。
【請求項７】
請求項４〜６のいずれか一項に記載のプロジェクタ付きカメラにおいて、
前記制御手段は、前記記録媒体が非装着になった場合に前記記憶回路内の前記複製データを無効にすることを特徴とするプロジェクタ付きカメラ。
【請求項８】
請求項３に記載のプロジェクタ付きカメラにおいて、
前記投影ユニットが投影を行う投影モードと、前記撮像ユニットが撮影を行う撮影モードとを有し、
前記制御手段は、前記投影モード時に前記記録媒体へのデータ記録を禁じることを特徴とするプロジェクタ付きカメラ。
【請求項９】
請求項３に記載のプロジェクタ付きカメラにおいて、
前記投影ユニットが投影を行う投影モードと、前記撮像ユニットが撮影を行う撮影モードとを有し、
前記制御手段は、前記投影モード時に前記記録媒体のデータ削除を禁じることを特徴とするプロジェクタ付きカメラ。
【請求項１０】
請求項１に記載のプロジェクタ付きカメラにおいて、
前記投影準備は、前記投影ユニットから所定の図形情報を投影させ、前記投影された図形情報を前記撮像ユニットに撮像させ、前記撮像された画像と前記図形情報との比較結果に基づいて前記投影ユニットを調整することを含むことを特徴とするプロジェクタ付きカメラ。
【請求項１１】
請求項１に記載のプロジェクタ付きカメラにおいて、
前記制御手段はさらに、リモコン送信機からの操作信号を受け付け、
前記記録媒体は、前記リモコン送信機に装着されることを特徴とするプロジェクタ付きカメラ。
【発明の詳細な説明】
【技術分野】
【０００１】
本発明は、プロジェクタ付きカメラに関する。
【背景技術】
【０００２】
プロジェクタを備えた電子カメラが知られている（特許文献１参照）。
【０００３】
【特許文献１】特開２００６−２２２５４７号公報
【発明の開示】
【発明が解決しようとする課題】
【０００４】
従来技術では、他のカメラで撮影、記録された画像データによる再生像を投影する場合の使い勝手がよくないという問題があった。
【課題を解決するための手段】
【０００５】
（１）本発明によるプロジェクタ付きカメラは、投影ユニットと、撮像ユニットと、記録媒体に記録されているデータによる再生像を投影ユニットに投影させる制御手段とを備え、記録媒体が装着され、かつ投影指示を受けた場合に投影の準備を始めるように制御手段を構成したものである。
（２）請求項１に記載のプロジェクタ付きカメラにおいて、記録媒体は、筐体上部から装着されることが好ましい。
（３）請求項２に記載のプロジェクタ付きカメラにおいて、記録媒体は、撮影したデータを記録する撮影記録媒体と別個に装着されることが好ましい。
（４）請求項１〜３のいずれか一項に記載のプロジェクタ付きカメラはさらに、記憶回路を備えてもよい。この場合の投影準備は、記録媒体内の投影データを複製し、該複製データを記憶回路に記憶することを含むことが好ましい。
（５）請求項４に記載のプロジェクタ付きカメラにおいて、制御手段は、投影準備が終了すると投影ユニットに投影を開始させることが好ましい。
（６）請求項４または５に記載のプロジェクタ付きカメラにおいて、制御手段は、記憶回路に記憶されているデータによる再生像を投影ユニットに投影させることが好ましい。
（７）請求項４〜６のいずれか一項に記載のプロジェクタ付きカメラにおいて、制御手段は、記録媒体が非装着になった場合に記憶回路内の複製データを無効にすることが好ましい。
（８）請求項３に記載のプロジェクタ付きカメラにおいて、投影ユニットが投影を行う投影モードと、撮像ユニットが撮影を行う撮影モードとを有してもよい。この場合の制御手段は、投影モード時に記録媒体へのデータ記録を禁じることが好ましい。
（９）請求項３に記載のプロジェクタ付きカメラにおいて、投影ユニットが投影を行う投影モードと、撮像ユニットが撮影を行う撮影モードとを有してもよい。この場合の制御手段は、投影モード時に記録媒体のデータ削除を禁じることが好ましい。
（１０）請求項１に記載のプロジェクタ付きカメラにおいて、投影準備は、投影ユニットから所定の図形情報を投影させ、投影された図形情報を撮像ユニットに撮像させ、撮像された画像と図形情報との比較結果に基づいて投影ユニットを調整することを含めてもよい。
（１１）請求項１に記載のプロジェクタ付きカメラにおいて、制御手段はさらに、リモコン送信機からの操作信号を受け付けることもできる。この場合の記録媒体は、リモコン送信機に装着されていてもよい。
【発明の効果】
【０００６】
本発明によるプロジェクタ付きカメラでは、他のカメラで撮影・記録されたデータによる再生像を投影する場合の使い勝手がよくなる。
【発明を実施するための最良の形態】
【０００７】
以下、図面を参照して本発明を実施するための最良の形態について説明する。図１は、本発明の一実施の形態によるプロジェクタ付き電子カメラ１０の正面図である。図１において、電子カメラ１０の前面には、撮影レンズ７１と、プロジェクタの投影口６７と、セルフタイマーランプ１３と、フラッシュ光源部２１とが配設されている。電子カメラ１０の上面には、ズームスイッチ１１と、レリーズボタン１２と、プロジェクタボタン１４とが配設されている。レリーズボタン１２は、電子カメラ１０に撮影を指示するための操作部材である。ズームスイッチ１１は、電子カメラ１０にズームダウンまたはズームアップを指示するための操作部材である。プロジェクタボタン１４は、電子カメラ１０に投射を指示するための操作部材である。
【０００８】
図２は、図１の電子カメラの背面図である。図２において、電子カメラ１０の背面には、表示モニタ１０８と、切替ボタン１５と、モードボタン１６と、メニューボタン１７と、削除ボタン１８と、ＯＫボタン２０およびダイヤル１９とが設けられている。リング状に構成されたダイヤル１９は、回転操作に応じた回転操作信号と、押下操作に応じた押下位置信号とを発生する。ＯＫボタン２０の配設位置はダイヤル１９の中央部である。ダイヤル１９およびＯＫボタン２０は、電子カメラ１０に各種設定を指示するための操作部材である。
【０００９】
切替ボタン１５は、撮影を行う撮影モードと、撮影画像の再生表示を行う再生モードとの切替を電子カメラ１０に指示するための操作部材である。モードボタン１６は、メニューが並んだモード選択画面を表示モニタ１０８に表示させるための操作部材である。メニューボタン１７は、メニュー選択画面を表示モニタ１０８に表示させるための操作部材である。削除ボタン１８は、電子カメラ１０に画像ファイルの削除を指示するための操作部材である。
【００１０】
図３は、図１の電子カメラ１０の回路構成を説明するブロック図である。図３において、電子カメラ１０は、ＣＰＵ１０１と、メモリ１０２と、マイク１０５と、外部インターフェイス回路１０６と、電源回路１０７と、表示モニタ１０８と、操作部材１０９と、スピーカー１１０と、リモコン制御部１１１と、セルフタイマーランプ１３と、プロジェクタモジュール６０と、カメラモジュール７０とを備え、着脱自在のバッテリー１０３、メモリカード１０４Ａおよびメモリカード１０４Ｂが実装されている。
【００１１】
ＣＰＵ１０１は、制御プログラムに基づいて、電子カメラ１０を構成する各部から入力される信号を用いて所定の演算を行うなどして、電子カメラ１０の各部に対する制御信号を送出することにより、カメラ動作およびプロジェクタ動作をそれぞれ制御する。なお、制御プログラムは、ＣＰＵ１０１内の不図示の不揮発性メモリに格納されている。ＣＰＵ１０１はさらに、プロジェクタモジュール６０が投影する画像のデータに対する台形歪み補正（キーストン補正）を画像処理によって行う。
【００１２】
メモリ１０２はＣＰＵ１０１の作業用メモリとして使用される。メモリカード１０４Ａは不揮発性メモリによって構成され、主としてカメラモジュール７０によって撮影された画像データを記録するための記録媒体である。メモリカード１０４Ａは、ＣＰＵ１０１の指示により、たとえば、カメラモジュール７０で取得された画像データや、外部インターフェイス回路１０６を介して外部から入力される映像・音声データなどのデータの書き込み、保存および読み出しが可能である。メモリカード１０４Ａは、電子カメラ１０の底部に設けられた蓋部材３１の内側に装着される（図１および図２）。
【００１３】
メモリカード１０４Ｂは不揮発性メモリによって構成され、主としてプロジェクタモジュール６０から投影させる画像データを記録しておく記録媒体である。メモリカード１０４Ｂは、ＣＰＵ１０１の指示によりデータの読み出しが可能である。メモリカード１０４Ｂは、電子カメラ１０の上部に設けられた蓋部材３２の内側に装着される（図１および図２）。
【００１４】
マイク１０５は、集音した音声を電気信号に変換してＣＰＵ１０１へ送出する。音声信号は、録音時にメモリカード１０４Ａに記録される。外部インターフェイス回路１０６は、ＣＰＵ１０１の指示により不図示のクレードル、もしくはクレードルに接続されている外部機器との間でデータを送受信する。送受信するデータは、映像・音声データや、電子カメラ１０に対する制御信号である。外部インターフェイス回路１０６には、電源ラインも含まれている。
【００１５】
スピーカー１１０は、ＣＰＵ１０１から出力された音声信号による音声を再生する。操作部材１０９は、上述した操作ボタンなどを含み、各操作ボタンに対応する操作信号をＣＰＵ１０１へ送出する。リモコン制御部１１１は、リモコン送信機５０から送信される信号を受信し、受信信号に応じた操作信号をＣＰＵ１０１へ出力する。プロジェクタ付き電子カメラ１０は、操作部材１０９およびリモコン送信機５０のいずれからも操作可能に構成されている。
【００１６】
バッテリー１０３は充電可能な二次電池によって構成される。電源回路１０７はＤＣ／ＤＣ変換回路、充電回路、および電圧検出回路を含み、バッテリー１０３の電圧を電子カメラ１０内の各部で必要な電圧に変換する。電源回路１０７はさらに、バッテリー１０３の電圧が低く、残容量が低下している場合には外部インターフェイス回路１０６を介して供給される充電用電流でバッテリー１０３を充電する。
【００１７】
表示モニタ１０８は液晶表示パネルを有し、ＣＰＵ１０１の指示により画像やテキストなどの情報を表示する。セルフタイマーランプ１３は、ＣＰＵ１０１からの指示に応じて、たとえば赤色の点滅光を発することにより、セルフタイマーの作動を報知する。フラッシュ光源部２１は、撮影モード時にＣＰＵ１０１からの指示に応じて所定光量の光を発する。
【００１８】
（カメラモジュール）
カメラモジュール７０は、撮影レンズ（撮影光学系）７１と、イメージセンサ７２と、レンズ駆動回路７３と、撮影制御回路７４とを含む。イメージセンサ７２としては、ＣＣＤやＣＭＯＳ撮像素子などが用いられる。撮影制御回路７４は、ＣＰＵ１０１からの指示によりイメージセンサ７２およびレンズ駆動回路７３を駆動制御するとともに、イメージセンサ７２から出力される撮像信号（蓄積電荷信号）に対して所定の画像処理を行う。画像処理は、ホワイトバランス処理やガンマ処理などである。
【００１９】
撮影レンズ７１は、イメージセンサ７２の撮像面上に被写体像を結像させる。撮影制御回路７４は、撮影開始指示に応じてイメージセンサ７２に撮像を開始させ、撮像終了後にイメージセンサ７２から蓄積電荷信号を読出し、上記画像処理を施した上で画像データとしてＣＰＵ１０１へ送出する。
【００２０】
レンズ駆動回路７３は、撮影制御回路７４から出力されるフォーカス調節信号に基づいて、撮影レンズ７１を構成するフォーカスレンズ（不図示）を光軸方向に進退駆動する。また、レンズ駆動回路７３は、撮影制御回路７４から出力されるズーム調節信号に基づいて、撮影レンズ７１を構成するズームレンズ（不図示）を光軸方向（テレ側もしくはワイド側）へ進退駆動する。フォーカス調節量およびズーム調節量は、ＣＰＵ１０１から撮影制御回路７４へ指示される。
【００２１】
（カメラのフォーカス調節）
カメラモジュール７０は、撮影レンズ７１を構成するフォーカスレンズを光軸方向にシフトすることにより、撮影レンズ７１のフォーカス調節を行う。オートフォーカス調節を行う場合のＣＰＵ１０１は、イメージセンサ７２で撮像された画像信号のうち、フォーカス検出エリア（たとえば撮影画面中央）に対応する画像信号についての高周波数成分の積算値（いわゆる焦点評価値）を最大にするように、フォーカス調節信号を撮影制御回路７４へ送る。焦点評価値を最大にするフォーカスレンズの位置は、イメージセンサ７２によって撮像される被写体像のエッジのボケをなくし、画像のコントラストを最大にする合焦位置である。
【００２２】
（カメラのズーム調節）
カメラモジュール７０は、撮影レンズ７１を構成するズームレンズを光軸方向にシフトすることにより、撮影レンズ７１の光学ズーム調節を行う。ＣＰＵ１０１は、操作部材１０９（ズームスイッチ１１）からのズーム操作信号に応じてズーム調節信号を撮影制御回路７４へ送る。
【００２３】
（プロジェクタモジュール）
プロジェクタモジュール６０は、投影レンズ（投影光学系）６１と、液晶パネル６２と、ＬＥＤ光源６３と、投射制御回路６４と、レンズ駆動回路６５と、ミラー６６とを含む。投射制御回路６４は、ＣＰＵ１０１から出力される投影指示に応じてＬＥＤ光源６３に駆動電流を供給する。ＬＥＤ光源６３は、供給された電流に応じた明るさで液晶パネル６２を照明する。
【００２４】
投射制御回路６４はさらに、ＣＰＵ１０１から送出される画像データに応じて液晶パネル駆動信号を生成し、生成した駆動信号で液晶パネル６２を駆動する。具体的には、液晶層に対して画像信号に応じた電圧を画素ごとに印加する。電圧が印加された液晶層は液晶分子の配列が変わり、当該液晶層の光の透過率が変化する。このように、画像信号に応じてＬＥＤ光源６３からの光を変調することにより、液晶パネル６２が光像を生成する。
【００２５】
投影レンズ６１は、液晶パネル６２から射出される光像をミラー６６へ導く。ミラー６６は、回動軸Ｐを回動中心として矢印方向に回動自在に構成される。ミラー６６で折り曲げられた投影光束は、投影口６７からスクリーンなどへ向けて射出される。
【００２６】
レンズ駆動回路６５は、投射制御回路６４から出力されるオフセット調節信号に基づいて、投影レンズ６１を光軸に対して直交する方向へ進退駆動する。また、レンズ駆動回路６５は、投射制御回路６４から出力されるフォーカス調節信号に基づいて、投影レンズ６１を構成するフォーカスレンズ（不図示）を光軸方向へ進退駆動する。レンズ駆動回路６５はさらに、投射制御回路６４から出力されるズーム調節信号に基づいて、投影レンズ６１を構成するズームレンズ（不図示）を光軸方向へ進退駆動する。オフセット調節量、フォーカス調節量およびズーム調節量は、ＣＰＵ１０１から投射制御回路６４へ指示される。
【００２７】
（投射像のオフセット）
ミラー６６が回動軸Ｐの回りに回動されることにより、投影口６７から射出される光束の射出方向が変化し、投射像がオフセットされる。投射像のオフセットは、ミラー６６を回動させて行う他にも、投影レンズ６１を光軸と直交する向きにシフトさせて行うこともできる。この他、液晶パネル６２、ＬＥＤ光源６３を光軸に対して垂直方向にシフトさせて行う構成としてもよい。
【００２８】
（投射像のキーストン補正）
投射像をオフセットさせる際には、そのオフセット量に応じて投影するデータに対するキーストン補正を行う。投射像に上記オフセットを与えるだけでは投射像が台形状に変化するので、ＣＰＵ１０１は、投射像を台形状から長方形状に補正するために画像処理による電気的なキーストン補正を施す。ＣＰＵ１０１内のメモリには、あらかじめ投射像を方形状に補正するための初期補正値が記憶されている。ＣＰＵ１０１は、オフセット調節量に対応する初期補正値を読み出し、読み出した初期補正値を元に投影する像のデータに対するキーストン補正処理をメモリ１０２上で施し、キーストン補正処理後の画像データを投射制御回路６４へ送出する。
【００２９】
（投射像のフォーカス調節）
投影レンズ６１を構成するフォーカスレンズを光軸方向にシフトすることにより、プロジェクタモジュール６０は投射像のフォーカス調節を行う。ＣＰＵ１０１は、操作部材１０９からの操作信号に応じてフォーカス調節信号を投射制御回路６４へ送る。
【００３０】
（投射像のズーム調節）
投影レンズ６１を構成するズームレンズを光軸方向にシフトすることにより、プロジェクタモジュール６０は投射像のズーム調節を行う。ＣＰＵ１０１は、操作部材１０９からの操作信号に応じてズーム調節信号を投射制御回路６４へ送る。
【００３１】
（投影ソース：source）
プロジェクタモジュール６０は、再生モード時に、ＣＰＵ１０１の指示により下記ソース１．またはソース２．のいずれかによるコンテンツを投影および再生する。ＣＰＵ１０１は、操作部材１０９からソース切替え操作信号が入力されるごとに、投影画像をソース１．→２．→１．…の順に切替えるように、各画像に対応する画像データをプロジェクタモジュール６０へ送出する。
【００３２】
ソース１．メモリカード１０４Ｂ（または１０４Ａ）から読出したデータによる再生画像
ソース２．外部インターフェイス回路１０６から入力されたデータによる再生画像
【００３３】
ＣＰＵ１０１は、上記ソース１．に対応する画像を投影する場合、記録日時が最も新しい（記録されている画像データの中で最後に撮影されたもの）画像データをメモリカード１０４Ｂ（または１０４Ａ）から順に読出し、メモリ１０２へ格納する。ＣＰＵ１０１はさらに、メモリ１０２へ格納した画像データを読出してプロジェクタモジュール６０へ送出する。また、上記コンテンツのデータとしてテキストデータが選択された場合は、テキスト画面を投影するためのデータをプロジェクタモジュール６０へ送出する。
【００３４】
本実施形態は、プロジェクタモジュール６０による投影動作に特徴を有するので、以下はこの点を中心に説明する。図４は、ＣＰＵ１０１が実行する投影処理の流れを説明するフローチャートである。ＣＰＵ１０１は、再生モード時に投影オン操作される、すなわち、プロジェクタボタン１４から押下操作信号を受けると、図４による処理を行うプログラムを起動する。
【００３５】
図４のステップＳ１１において、ＣＰＵ１０１は、設定されている投影コンテンツが「ソース１．」か否かを判定する。ＣＰＵ１０１は、「ソース１．」が設定されている場合にステップＳ１１を肯定判定してステップＳ１２へ進む。ＣＰＵ１０１は、「ソース１．」が設定されていない場合にはステップＳ１１を否定判定し、ステップＳ２４へ進む。
【００３６】
＜ソース１．による投影＞
ステップＳ１２において、ＣＰＵ１０１は、投影モードで使用するメモリカードが存在するか否かを判定する。投影モードで使用するメモリカードは、あらかじめメニュー選択画面を用いた選択操作によって選択されている。図５は、この場合のメニュー選択画面を例示する図である。本実施形態では、「上面スロット内のカード」であるメモリカード１０４Ｂを使用する場合と、「底面スロット内のカード」であるメモリカード１０４Ａを使用する場合と、メモリカード１０４Ａおよび１０４Ｂの双方が実装されている場合に「上面スロット内のカード」であるメモリカード１０４Ｂを優先使用する場合と、メモリカード１０４Ａおよび１０４Ｂの双方が実装されている場合に、記録日時が新しい画像データが保存されているメモリカードを使用する場合のうち、いずれか１つが選択される。デフォルト設定は「上面スロット内のカード」である。
【００３７】
ＣＰＵ１０１は、投影モードにおいて使用対象として設定されているメモリカードが装着されている（すなわち、該メモリカードを検出した）場合にステップＳ１２を肯定判定してステップＳ１３へ進む。ＣＰＵ１０１は、使用対象として設定されているメモリカードが非装着（すなわち、該メモリカードを検出しない）の場合にはステップＳ１２を否定判定し、ステップＳ２２へ進む。
【００３８】
ステップＳ２２において、ＣＰＵ１０１は、たとえば「メモリカードを装着して下さい。」というメッセージを表示モニタ１０８に表示させてステップＳ２３へ進む。ステップＳ２３において、ＣＰＵ１０１は、タイムアウトか否かを判定する。ＣＰＵ１０１は、メッセージを表示してから所定時間が経過した場合はステップＳ２３を肯定判定し、図４による処理を終了する。この場合の電子カメラ１０は、投影すべきコンテンツデータが存在しないため投影を行わない。
【００３９】
一方、ＣＰＵ１０１は、上記メッセージを表示してから所定時間が経過していない場合はステップＳ２３を否定判定し、ステップＳ１２へ戻る。この場合はメッセージ表示を継続させてメモリカード１０４Ｂ（または１０４Ａ）の装着を待つ。
【００４０】
ステップＳ１３において、ＣＰＵ１０１は、たとえば「データをコピーしています。メモリカードを外さないで下さい。」というメッセージを表示モニタ１０８に表示させてステップＳ１４へ進む。ステップＳ１４において、ＣＰＵ１０１は、メモリカード１０４Ｂ（または１０４Ａ）内のフォルダのうち、生成日時が新しいフォルダおよび当該フォルダ内のファイルをコピー対象とし、メモリカード１０４Ｂ（または１０４Ａ）からメモリ１０２へコピーを開始してステップＳ１５へ進む。なお、既にメモリ１０２にコピー済みのファイル類についてはコピーしない。コピーは、データを複製し、該複製データを記録することをいう。
【００４１】
ステップＳ１５において、ＣＰＵ１０１はコピー終了か否かを判定する。ＣＰＵ１０１は、コピー対象であるファイル類を全てコピーした場合にステップＳ１５を肯定判定してステップＳ１６へ進む。ＣＰＵ１０１は、コピー対象であるファイル類のコピーが済んでいない場合にはステップＳ１５を否定判定し、ステップＳ１４へ戻る。ステップＳ１４へ戻る場合はコピーを継続する場合である。
【００４２】
ステップＳ１６において、ＣＰＵ１０１はキャリブレーションするか否かを判定する。キャリブレーションは、プロジェクタモジュール６０から所定の図形などを投影し、カメラモジュール７０で投影像を撮像し、撮像した図形の形状、色、コントラスト情報を投影データと比較し、該比較結果に基づいてプロジェクタモジュール６０の調節（オフセット、キーストン、フォーカス、ズーム等）を行うものである。
【００４３】
ＣＰＵ１０１は、あらかじめメニュー選択操作によって設定されている条件を満たす場合にステップＳ１６を肯定判定してステップＳ１７へ進む。ＣＰＵ１０１は、あらかじめメニュー選択操作によって設定されている条件を満たさない場合には、ステップＳ１６を否定判定してステップＳ１８へ進む。キャリブレーションを実行するか否かの判定条件は、次の項目からいずれか一項が選ばれる。
【００４４】
［１］毎回実行する
［２］メモリカード１０４Ａが使用対象の場合に毎回実行する
［３］メモリカード１０４Ｂが使用対象であって、投影開始後は実行しない（投影開始前は実行する）
［４］上記［３］に加えて、投影開始後でも電子カメラ１０の姿勢変化を検出した場合は実行する
【００４５】
上記［３］が選択されている場合のＣＰＵ１０１は、不図示の姿勢センサから所定レベル以上の検出信号が入力された場合、電子カメラ１０の姿勢が変化したと判定する。
【００４６】
ステップＳ１７において、ＣＰＵ１０１はキャリブレーションを実行してステップＳ１８へ進む。ステップＳ１８において、ＣＰＵ１０１は、プロジェクタモジュール６０へ投影開始を指示してステップＳ１９へ進む。これにより、プロジェクタモジュール６０へメモリ１０２内にコピーされている画像データが送信され、プロジェクタモジュール６０が再生像を投影する。ＣＰＵ１０１は、プロジェクタモジュール６０が既に投影中の場合は投影を維持させる。
【００４７】
ステップＳ１９において、ＣＰＵ１０１は投影オフ操作されたか否かを判定する。ＣＰＵ１０１は、プロジェクタボタン１４から押下操作信号を受けた場合、または切替ボタン１５から押下操作信号を受けた場合にステップＳ１９を肯定判定してステップＳ２０へ進む。ＣＰＵ１０１は、プロジェクタボタン１４、切替えボタン１５から押下操作信号を受けない場合にはステップＳ１９を否定判定し、ステップＳ３０へ進む。投影開始後のプロジェクタボタン１４の操作は、および撮影モードへの切替えを指示する切替ボタン１５の操作は、オフ操作に対応する。
【００４８】
ステップＳ２０において、ＣＰＵ１０１は、プロジェクタモジュール６０へ投影停止を指示して図４による処理を終了する。これにより、プロジェクタモジュール６０が投影を停止する。
【００４９】
ステップＳ１９を否定判定して進むステップＳ３０において、ＣＰＵ１０１は投影ソースの変更操作が行われたか否かを判定する。ＣＰＵ１０１は、「ソース２．」へ設定変更された場合にステップＳ３０を肯定判定してステップＳ３１へ進む。ＣＰＵ１０１は、設定変更されない場合にはステップＳ３０を否定判定し、ステップＳ３３へ進む。
【００５０】
ステップＳ３１において、ＣＰＵ１０１は投影像を切替えてステップＳ３２へ進む。具体的には、メモリ１０２へコピー済みのデータに代えて、外部インターフェイス回路１０６から入力されたデータをプロジェクタモジュール６０へ送る。
【００５１】
ステップＳ３２において、ＣＰＵ１０１は、メモリカード１０４Ｂ（または１０４Ａ）からメモリ１０２へコピー済みの画像ファイル類を無効にしてステップＳ２４へ進む。無効にした画像ファイル類は保持されず、当該領域にデータを上書きするなどして消失する。
【００５２】
ステップＳ３３において、ＣＰＵ１０１はメモリカードが交換されたか否かを判定する。ＣＰＵ１０１は、メモリカード１０４Ｂ（または１０４Ａ）の取り外しを検出した場合にステップＳ３３を肯定判定してステップＳ３４へ進む。ＣＰＵ１０１は、メモリカード１０４Ｂ（または１０４Ａ）の取り外しを検出しない場合にはステップＳ３３を否定判定し、ステップＳ１９へ戻る。ステップＳ１９へ戻る場合は、ソース１．による投影を継続する場合である。
【００５３】
ステップＳ３４において、ＣＰＵ１０１は、メモリカード１０４Ｂ（または１０４Ａ）からメモリ１０２へコピー済みの画像ファイル類を無効にしてステップＳ１２へ戻る。無効にした画像ファイル類は保持されず、当該領域にデータを上書きするなどして消失する。なお、新たなデータがプロジェクタモジュール６０へ送信されるまで、プロジェクタモジュール６０は現投影像の投影を続ける。
【００５４】
＜ソース２．による投影＞
ステップＳ１１を否定判定して進むステップＳ２４において、ＣＰＵ１０１はキャリブレーションするか否かを判定する。ＣＰＵ１０１は、あらかじめメニュー選択操作によって設定されている条件を満たす場合にステップＳ２４を肯定判定してステップＳ２５へ進む。ＣＰＵ１０１は、あらかじめメニュー選択操作によって設定されている条件を満たさない場合には、ステップＳ２４を否定判定してステップＳ２６へ進む。キャリブレーションを実行するか否かの判定条件は、次の項目からいずれか一項が選ばれる。
【００５５】
［１］実行する
［２］実行しない
【００５６】
ステップＳ２５において、ＣＰＵ１０１はキャリブレーションを実行してステップＳ２６へ進む。ステップＳ２６において、ＣＰＵ１０１は、プロジェクタモジュール６０へ投影開始を指示してステップＳ２７へ進む。これにより、外部インターフェイス回路１０６から入力されたデータがプロジェクタモジュール６０へ送信され、プロジェクタモジュール６０が再生像を投影する。ＣＰＵ１０１は、プロジェクタモジュール６０が既に投影中の場合は投影を維持させる。
【００５７】
ステップＳ２７において、ＣＰＵ１０１は投影オフ操作されたか否かを判定する。ＣＰＵ１０１は、プロジェクタボタン１４から押下操作信号を受けた場合、または切替ボタン１５から押下操作信号を受けた場合にステップＳ２７を肯定判定してステップＳ２８へ進む。ＣＰＵ１０１は、プロジェクタボタン１４、切替ボタン１５から押下操作信号を受けない場合にはステップＳ２７を否定判定し、ステップＳ２９へ進む。投影開始後のプロジェクタボタン１４および切替ボタン１５の操作は、オフ操作に対応する。
【００５８】
ステップＳ２８において、ＣＰＵ１０１は、プロジェクタモジュール６０へ投影停止を指示して図４による処理を終了する。これにより、プロジェクタモジュール６０が投影を停止する。
【００５９】
ステップＳ２７を否定判定して進むステップＳ２９において、ＣＰＵ１０１は投影ソースの変更操作が行われたか否かを判定する。ＣＰＵ１０１は、「ソース１．」へ設定変更された場合にステップＳ２９を肯定判定してステップＳ１２へ進む。ＣＰＵ１０１は、設定変更されない場合にはステップＳ２９を否定判定してステップＳ２７へ戻る。ステップＳ２７へ戻る場合は、ソース２．による投影を継続する場合である。
【００６０】
投影停止（ステップＳ２０）して図４による処理を終了する場合、メモリカード１０４Ｂ（または１０４Ａ）からメモリ１０２へコピー済みの画像ファイル類を無効にしないのは、次に投影オン操作されて図４による処理を再起動した場合のコピー処理（ステップＳ１４）を軽減するためである。メモリカード１０４Ｂ（または１０４Ａ）が取り外されない限りコピー済みのファイル類をメモリ１０２に保持しておくことで、重複コピーを避けることができる。
【００６１】
以上説明した実施形態によれば、次の作用効果が得られる。
（１）プロジェクタ付き電子カメラ１０の上面側からメモリカード１０４Ｂを装着可能に構成した。これにより、たとえば他のカメラで記録したメモリカード１０４Ｂ内のデータによる再生像を電子カメラ１０のプロジェクタモジュール６０で投影させる場合に、既に投影中の投影像を揺らしたり、投影を中断したりすることなしに新たな再生像を投影させることができる。
【００６２】
（２）メモリカード１０４Ｂがプロジェクタ付き電子カメラ１０に装着された場合、メモリカード１０４Ｂ内のデータ類を電子カメラ１０内のメモリ１０２へコピーする。電子カメラ１０は、メモリ１０２へコピーされたデータによる再生像をプロジェクタモジュール６０から投影する。これにより、投影中にメモリカード１０４Ｂに対するアクセス（データ読込み）が不要になるため、該メモリカード１０４Ｂを取り外すことができる。また、コピーが終了してから投影を開始させることにより、投影開始をメモリカード１０４Ｂの取り外しを許可する合図として扱うことができる。
【００６３】
（３）ステップＳ１３において、ＣＰＵ１０１は、「データをコピーしています。メモリカードを外さないで下さい。」というメッセージを表示モニタ１０８に表示させるので、メモリカード１０４Ｂの取り外し禁止を確実に使用者へ伝えることができる。
【００６４】
（４）メモリカード１０４Ｂからメモリ１０２へコピーしたデータは、プロジェクタモジュール６０からメモリカード１０４Ｂが取り外されると無効にしたので、電子カメラ１０内に保持されない。これにより、たとえば、一時的に借用したメモリカード１０４Ｂ内のデータによる再生像を投影する場合に、メモリカード１０４Ｂを取り外した後に当該データが電子カメラ１０内に残ってしまうことを防止できる。
【００６５】
（５）図４による処理を終了後、再び投影オン操作されないままプロジェクタ付き電子カメラ１０のメインスイッチがオフされる場合は、メモリ１０２が不揮発性メモリでないことからメモリ１０２へコピー済みの画像ファイル類は消失する。これにより、たとえば、一時的に借用したメモリカード１０４Ｂ内のデータによる再生像を投影した場合に、メインスイッチオフ後に当該データが電子カメラ１０内に残ってしまうことを防止できる。
【００６６】
（６）投影モードで使用するメモリカードへは、投影モードにおいて書き込み処理を禁止する。書き込み禁止にすることにより、たとえば、一時的に借用したメモリカード１０４Ｂ内のデータによる再生像を投影する場合に、当該メモリカード１０４Ｂ内の記録情報を誤って改変することを防止できる。
【００６７】
（７）投影モードで使用するメモリカードへは、投影モードにおいて削除処理を禁止する。削除禁止にすることにより、たとえば、一時的に借用したメモリカード１０４Ｂ内のデータによる再生像を投影する場合に、当該メモリカード１０４Ｂ内の記録情報を誤って削除することを防止できる。
【００６８】
（８）電子カメラ１０の上部に設けられる蓋部材３２は、電子カメラ１０の上方から下へ向けて押し下げた場合に電子カメラ１０の内部に向けて開く構成にする。メモリカード１０４Ｂは、開いた蓋部材３２の開口部から電子カメラ１０の内部に向けて挿入される。メモリカード１０４Ｂを挿入する際に、電子カメラ１０を持ち上げる必要がなく、メモリカード１０４Ｂを挿入する手が投影口６７を塞いでしまうおそれもない。また、机などに載置されている電子カメラ１０を誤って横方向へ移動させにくいことから、たとえば他のカメラで記録したメモリカード１０４Ｂ内のデータによる再生像を電子カメラ１０のプロジェクタモジュール６０で投影させる場合に、既に投影中の投影像を揺らしたり、投影を中断したりすることなく、新たな再生像を投影させることができる。
【００６９】
（９）投影モードで使用するメモリカードに対し、撮影モード時に画像データを記録する場合、プロジェクタモジュール６０の解像度（すなわち、液晶パネル６２の画素サイズ）に応じたデータとして記録する。投影像に適した画像データとして記録することで、必要以上に大きな画素サイズのデータを記録する場合に比べて、メモリカード１０４Ｂの使用量を抑えることができる。また、投影時にプロジェクタモジュール６０の解像度に合わせて行うリサイズ処理を不要にすることができる。
【００７０】
（変形例１）
リモコン送信機５０にメモリカードを装着するようにしてもよい。この場合は、リモコン送信機５０に装着されたメモリカードを、投影モードで使用するメモリカードとしてデフォルト設定する。ＣＰＵ１０１は、図４のステップＳ１４において、リモコン制御部１１１を介してリモコン送信機５０からメモリカードに記録されているデータを受信する。ＣＰＵ１０１は、メモリカード内のフォルダのうち、生成日時が新しいフォルダおよび当該フォルダ内のファイルをコピー対象とし、リモコン送信機５０からメモリ１０２へコピーを開始してステップＳ１５へ進む。
【００７１】
上述した変形例１によれば、メモリカード内の画像データを電子カメラ１０に触れないでリモコン送信機５０からプロジェクタ付き電子カメラ１０へ送信できる。これにより、プロジェクタモジュール６０による投影中に電子カメラ１０へ新たな画像データを供給する際に、既に投影中の投影像を揺らしたり、投影を中断したりすることなく供給し、新たな再生像を投影させることができる。
【００７２】
（変形例２）
ステップＳ１３において、「データをコピーしています。メモリカードを外さないで下さい。」というメッセージを表示モニタ１０８に表示させるようにしたが、表示モニタ１０８の表示に代えて、または表示モニタ１０８の表示に加えて、プロジェクタモジュール６０から投影させるようにしてもよい。このようにしても、メモリカード１０４Ｂの取り外し禁止を使用者に伝えることができる。
【００７３】
（変形例３）
電子カメラ１０の上部に設けられる蓋部材３２は、電子カメラ１０の上方から下へ向けて一旦押し下げた後に、電子カメラ１０の上方に向けて開く構成、いわゆるワンプッシュオープン方式でもよい。メモリカード１０４Ｂは、開いた蓋部材３２の開口部から電子カメラ１０の内部に向けて挿入される。この場合にも、メモリカード１０４Ｂを挿入する際に電子カメラ１０を持ち上げる必要がなく、メモリカード１０４Ｂを挿入する手が投影口６７を塞いでしまうおそれもない。
【００７４】
（変形例４）
電子カメラ１０の上部に設けられた蓋部材３２の内側のスロットに、メモリカード１０４Ｂを上方から下方へ向けて挿入する例を説明した。この代わりに、電子カメラ１０の背面上部に表示モニタ１０８の長辺に沿ってスロットを設けてもよい。メモリカード１０４Ｂは、電子カメラ１０の背面側から正面方向へ向けて挿入する。この場合にも、メモリカード１０４Ｂを挿入する際に電子カメラ１０を持ち上げる必要がなく、挿入する手が投影口６７を塞いでしまうおそれもない。
【００７５】
以上の説明はあくまで一例であり、上記の実施形態の構成に何ら限定されるものではない。
【図面の簡単な説明】
【００７６】
【図１】本発明の一実施の形態によるプロジェクタ付き電子カメラの正面図である。
【図２】図１の電子カメラの背面図である。
【図３】電子カメラの回路構成を説明するブロック図である。
【図４】ＣＰＵが実行する投影処理の流れを説明するフローチャートである。
【図５】メニュー選択画面を例示する図である。
【符号の説明】
【００７７】
１０…プロジェクタ付きカメラ
６０…プロジェクタモジュール
７０…カメラモジュール
１０１…ＣＰＵ
１０４Ａ、１０４Ｂ…メモリカード
１０８…表示モニタ
１０９…操作部材
【図１】
2009094687.tif 000003
【図２】
2009094687.tif 000004
【図３】
2009094687.tif 000005
【図４】
2009094687.tif 000006
【図５】
2009094687.tif 000007